(57)【要約】【課題】形成構造がシンプルで、コストを抑制し、組み立てがしやすい座椅子の肘掛けの構造を提供する。【解決手段】上部はめ込み管２０及び下部はめ込み管１０を備え、下部はめ込み管１０側面に縦向きにのこぎり型穴１２が設けられる。上部はめ込み管２０には、のこぎり型穴１３に対応する穴２１が設けられる。また、弾力性を有する中空状リング４０が設置される。中空状リング４０は下部はめ込み管２０内に収納される。さらに、中空状リング４０の一端にはボタン４１を有する。ボタン４１は下部はめ込み管１０ののこぎり型穴１２及び上部はめ込み管２０の穴２１に突出する。そして、ボタン４１は、のこぎり型穴１２に対応してかみ合って、工字型の止め歯４２を形成する。【選択図】  図３
0003154182.tif 000002
【実用新案登録請求の範囲】
【請求項１】
一端に結合部が設置され、側面には縦向きにのこぎり型穴が設置され、前記のこぎり型穴に二つずつ互いに対応する配列歯を複数個形成する下部はめ込み管と、
前記下部はめ込み管の外側に設置され、前記のこぎり型穴に対応する穴が設置され、さらに、前記上部はめ込み管の前記結合部と反対側の他端には支え部が設置される上部はめ込み管と、
前記下部はめ込み管内に収納され、上部はめ込み管の穴に対応するボタンが設置され、前記ボタンは、前記下部はめ込み管ののこぎり型穴及び前記上部はめ込み管の穴に突出し、前記ボタンは、工字型の止め歯を形成することで、前記工字型の止め歯が前記下部はめ込み管の配列歯内にかみ合う弾力性を有する中空状リングと、を備えることを特徴とする座椅子の肘掛け装置。
【請求項２】
前記上部はめ込み管の一端には肘掛け部分が連結され、前記肘掛け部分はマットであることを特徴とする請求項１に記載の座椅子の肘掛け装置。
【請求項３】
前記中空状リングは、金属またはプラスチックであることを特徴とする請求項１に記載の座椅子の肘掛け装置。
【請求項４】
前記中空状リングの前記ボタンの裏面にストッパーが設置されることを特徴とする請求項１に記載の座椅子の肘掛け装置。
【請求項５】
前記中空状リングの前記ボタンが設置される一面に相対する他面の対応する内側に固定突起部が設置されることを特徴とする請求項１に記載の座椅子の肘掛け装置。
【請求項６】
前記中空状リングの前記ボタンの裏面にストッパーが設置され、さらに、前記中空状リングの前記ストッパーに対応する面に固定突起部が設置されることを特徴とする請求項１に記載の座椅子の肘掛け装置。
【考案の詳細な説明】
【技術分野】
【０００１】
本考案は、座椅子の技術分野に関し、特に、伸縮する座椅子の肘掛け装置の構造に関する。
【背景技術】
【０００２】
現在、座椅子の多くは使用者の心地よさを高め、人体工学に適合している。肘掛け装置は伸縮装置を有していることで、使用者の体型に合わせて肘掛け装置の高さを調整して、使用者が座椅子を使用する時の心地よさを高める。
従来の座椅子の肘掛け装置の構造は、台湾ですでに許可されている特許番号Ｍ３３３１１８、Ｍ２６９８００等があり、そのほとんどは、調整装置において、形成構造が複雜であり、これに伴って部品が多くなりコストも高くなる。同時に、コストが高くなり、組み立てが複雑となる。
【考案の概要】
【考案が解決しようとする課題】
【０００３】
本考案は、形成構造がシンプルで、コストを抑制し、組み立てがしやすい座椅子の肘掛け装置の構造を提供することを課題とする。
【課題を解決するための手段】
【０００４】
上記課題を解決するために、本考案は、形成構造がシンプルで、構造や組み立てのためのコストを抑制する座椅子の肘掛け装置の構造を提供することを目的とする。
上記目的を達成するために、本考案は、下部はめ込み管、上部はめ込み管、肘掛け部分、中空状リングを備える。下部はめ込み管の一端には結合部が設置される。下部はめ込み管側面には縦向きにのこぎり型穴が設けられる。のこぎり型穴には二つずつ互いに対応する配列歯が複数個形成される。下部はめ込み管外側には上部はめ込み管がはめ込まれて設置される。そして、上部はめ込み管はのこぎり型穴に対応する穴が設置される。上部はめ込み管の結合部と反対側の他端には支え部が設置される。支え部には肘掛け部分が設置される。また、弾力性を有する中空状リングが設置される。中空状リングは下部はめ込み管内に収納される。さらに、中空状リングの対応する上部はめ込み管の穴にはボタンが設置される。ボタンは下部はめ込み管ののこぎり型穴及び上部はめ込み管の穴に突出する。そして、ボタンは、工字型の止め歯を形成し、工字型の止め歯が下部はめ込み管の配列歯内にかみ合う。
【考案の効果】
【０００５】
本考案の座椅子の肘掛け装置の構造は、形成構造がシンプルで、構造や組み立てのためのコストを抑制する。
【図面の簡単な説明】
【０００６】
【図１】本考案の一実施形態による座椅子の肘掛け装置の立体外観図である。
【図２】本考案の一実施形態による座椅子の肘掛け装置の部品を示した立体分解図である。
【図３】本考案の一実施形態による座椅子の肘掛け装置の立体組立断面図である。
【図４】本考案の一実施形態による座椅子の肘掛け装置の中空状リングの立体外観図である。
【図５】本考案の一実施形態による座椅子の肘掛け装置の中空状リングの他方向の立体外観図である。
【図６】本考案の一実施形態による座椅子の肘掛け装置の組立断面図である。
【図７】本考案の一実施形態による座椅子の肘掛け装置の立体動作図である。
【図８】図７の次の立体動作図である。
【考案を実施するための形態】
【０００７】
（一実施形態）
図１から図３を参照し、本考案の一実施形態の座椅子の肘掛け装置の構造について説明する。  本考案の一実施形態による座椅子の肘掛け装置の構造は、下部はめ込み管１０、上部はめ込み管２０、肘掛け部分３０、中空状リング４０を備える。下部はめ込み管１０の一端には、座椅子（図示はされない）に結合する結合部１１が設置される。さらに、下部はめ込み管１０側面には縦向きにのこぎり型穴１２が設置される。のこぎり型穴１２は複数の対応する配列歯１３を形成する。
【０００８】
上部はめ込み管２０は、下部はめ込み管１０の外側に設置される。上部はめ込み管２０には、のこぎり型穴１２に対応する穴２１が設置される。さらに、上部はめ込み管２０の結合部１１側ではない他端１１には支え部２２を有する。
肘掛け部分３０は、支え部２２に固定されて、肘掛け部分３０はマットである。
【０００９】
続いて、図４及び図５を参照して説明する。弾力性を有する中空状リング４０は、金属またはプラスチックである。さらに、中空状リング４０は、下部はめ込み管１０内に収納される。さらに、中空状リング４０には、上部はめ込み管２０の穴２１に対応するボタン４１が設置される。ボタン４１は、下部はめ込み管１０ののこぎり型穴１２及び上部はめ込み管２０の穴２１に突出する。そして、ボタン４１は、工字型の止め歯４２を形成することで、工字型の止め歯４２が下部はめ込み管１０の配列歯１３内にかみ合う。さらに、中空状リング４０のボタン４１の多面にはストッパー４３が設置される。さらに、中空状リング４０は、ストッパー４３の対応する面には固定突起部４４が設置される。上述の構造によって、本考案の座椅子の肘掛け装置の構造が完成する。
【００１０】
座椅子の肘掛け装置の高さを調整する場合、図６から図８に示したように、使用者はボタン４１を押すだけで、中空状リング４０を、固定突起部４４方向にフレキシブルに変形して、止め歯４２を下部はめ込み管１０の配列歯１３内に入り込ませる。さらに、上部はめ込み管２０を移動させて、引き出すか、下に押して、下部はめ込み管１０にはめ込む。上部はめ込み管２０及び下部はめ込み管１０が互いにはまり込む高さを調整し、さらに、肘掛け装置の高さを調整する。さらに、中空状リング４０が押されると、ストッパー４３の固定突起部４４の方向に押されることにより、ストッパー４３と中空状リング４４間に圧縮距離が形成されることにより、ボタン４１が過度に押し入れられて、上部はめ込み管２０内に脱出するのを回避する。そして、中空状リング４０が封閉されたリング状を呈することで、効果的に弾力性の強度及び構造的な強度を高める。適度な高さに調整した後、図に示したように、上部はめ込み管２０が上に引き上げられ、再び、ボタン４１が解放され、ボタン４１が中空状リング４０の弾力性の回復力によって、ボタン４１を弾力によって元の状態に戻すことで、工字型の止め歯が適当な位置ののこぎり型穴１２の配列歯１３内にかみ合い、肘掛け装置の高さを簡単に調整できる。
【００１１】
また、本考案ののこぎり型穴１２の配列歯１３は、波状の歯型を呈しているが、矩形、多角形等の配列の?向きの歯状も可能である。さらに、中空状リング４０ののこぎり型穴１２は、配列歯１３の輪郭が凹凸のかみ合わせに対応するが、配列歯１３及び止め歯４２の形状に制限されない。さらに、ストッパー４３と固定突起部４４は、単独で存在することも可能であることにより、ボタン４１が上部はめ込み管２０内に間違って進入するのを回避する。
【００１２】
以上、本考案の一実施形態を図面を参照して詳述してきたが、具体的な構成は、これらの実施例に限られるものではなく、本考案の要旨を逸脱しない範囲の設計変更などがあっても、本考案に含まれる。
【符号の説明】
【００１３】
１０：下部はめ込み管、１１：結合部、１２：のこぎり型穴、１３：配列歯、２０：上部はめ込み管、２１：穴、２２：支え部、３０：肘掛け部分、４０：中空状リング、４１：ボタン、４２：止め歯、４３：ストッパー、４４：固定突起部
【図１】
0003154182.tif 000003
【図２】
0003154182.tif 000004
【図３】
0003154182.tif 000005
【図４】
0003154182.tif 000006
【図５】
0003154182.tif 000007
【図６】
0003154182.tif 000008
【図７】
0003154182.tif 000009
【図８】
0003154182.tif 000010